(57)【要約】【課題】迷光による影響を円滑に抑制することができ、且つ、トラッキングエラー信号に生じるＤＣ成分を効果的に抑制することができる光ピックアップ装置を提供する。【解決手段】分光素子Ｈ５は、回折領域Ｈ５ａ〜Ｈ５ｈを有している。回折領域の境界線のうち、上下方向と左右方向の境界線以外の境界線は、アナモレンズの曲面方向と平面方向に平行な直線部と、上下方向に延びた直線部ｐ１〜ｐ３を有する。光検出器の受光面上に配されたセンサ部には、回折領域Ｈ５ａ〜Ｈ５ｈを通るＢＤ光の信号光のみが照射される。このとき、回折領域Ｈ５ａ、Ｈ５ｄ、Ｈ５ｅ、Ｈ５ｈ上の照射領域は、それぞれ、回折領域Ｈ５ｂ、Ｈ５ｃ、Ｈ５ｆ、Ｈ５ｇ上の照射領域よりも小さくなる。これにより、プッシュプル信号ＰＰのオフセット（ＤＣ成分）を抑制する変数ｋの値を小さくすることができるため、ノイズによるプッシュプル信号ＰＰへの影響が小さくなる。【選択図】図１３
2012079374.tif 000002
【特許請求の範囲】
【請求項１】
レーザ光源と、
前記レーザ光源から出射されたレーザ光を記録媒体上に収束させる対物レンズと、
前記記録媒体によって反射された前記レーザ光が入射されるとともに、第１の方向に前記レーザ光を収束させて第１の焦線を生成し、且つ、前記第１の方向に垂直な第２の方向に前記レーザ光を収束させて第２の焦線を生成する非点収差素子と、
前記記録媒体によって反射された前記レーザ光が入射されるとともに、第１ないし第４の領域に入射された各光束の進行方向を互いに異ならせ、これら４つの光束を互いに離散させる分光素子と、
前記離散された各光束を受光して検出信号を出力する光検出器と、を備え、
前記第１の方向と前記第２の方向にそれぞれ平行で且つ互いにクロスする第１および第２の直線の交点を前記分光素子の中心に整合させたとき、前記第１および第２の直線によって作られる一組の対頂角が並ぶ方向に前記第１および第２の領域が配置され、他の一組の対頂角が並ぶ方向に前記第３および第４の領域が配置され、
前記第１および第２の領域が並ぶ方向が、前記分光素子に投影された前記記録媒体のトラック像の方向と平行となるように前記非点収差素子が配置され、
前記第１および第２の領域が前記第３および第４の領域よりも面積が大きく、
さらに、前記第１および第２の領域と前記第３および第４の領域との境界が、前記トラック像の方向に垂直な直線部分を有する、
ことを特徴とする光ピックアップ装置。
【請求項２】
請求項１に記載の光ピックアップ装置において、
４つの前記直線部分が、前記トラック像の境界に掛かる位置に、前記中心に対して対称に配置されている、
ことを特徴とする光ピックアップ装置。
【請求項３】
請求項１または２に記載の光ピックアップ装置において、
２つの前記直線部分が、前記中心を前記トラック像の方向において挟む位置に、前記中心に対して対称に配置されている、
ことを特徴とする光ピックアップ装置。
【請求項４】
請求項１ないし３の何れか一項に記載の光ピックアップ装置において、
前記第１および第２の領域がそれぞれ前記トラック像に垂直な方向に２分割されて４つの分割領域が形成され、
前記第３および第４の領域がそれぞれ前記トラック像に平行な方向に２分割されて４つの分割領域が形成され、
前記分光素子は、前記第１の領域の２つの前記分割領域を通る光束部分が前記光検出器上で離間し、前記第２の領域の２つの前記分割領域を通る光束部分が前記光検出器上で離間し、前記第３の領域の２つの前記分割領域を通る光束部分が前記光検出器上で離間し、前記第４の領域の２つの前記分割領域を通る光束部分が前記光検出器上で離間するよう、前記各分割領域を通る前記光束部分の進行方向を変化させる、
ことを特徴とする光ピックアップ装置。
【請求項５】
請求項４に記載の光ピックアップ装置において、
前記分光素子は、ペアをなす２つの前記光束部分の間の前記光検出器上における隙間が、これら２つの光束部分を受光する２つのセンサ部の分割線の方向において、徐々に小さくなる光学作用を、前記光束部分に付与する、
ことを特徴とする光ピックアップ装置。
【請求項６】
請求項１ないし５の何れか一項に記載の光ピックアップ装置において、
前記分光素子は、前記第１ないし第４の領域を通った各光束が前記光検出器の受光面上において直方形の異なる４つの頂角の位置にそれぞれ導かれるよう、４つの前記光束の進行方向を、前記第１および第２の方向に対し４５°の方向で、且つ、所定の角度だけ変化させる、
ことを特徴とする光ピックアップ装置。
【発明の詳細な説明】
【技術分野】
【０００１】
本発明は、光ピックアップ装置に関するものであり、特に、複数の記録層が積層された記録媒体に対してレーザ光を照射する際に用いて好適なものである。
【背景技術】
【０００２】
近年、光ディスクの大容量化に伴い、記録層の多層化が進んでいる。一枚のディスク内に複数の記録層を含めることにより、ディスクのデータ容量を顕著に高めることができる。記録層を積層する場合、これまでは片面２層が一般的であったが、最近では、さらに大容量化を進めるために、片面に３層以上の記録層を配することも検討されている。ここで、記録層の積層数を増加させると、ディスクの大容量化を促進できる。しかし、その一方で、記録層間の間隔が狭くなり、層間クロストークによる信号劣化が増大する。
【０００３】
記録層を多層化すると、記録／再生対象とされる記録層（ターゲット記録層）からの反射光が微弱となる。このため、ターゲット記録層の上下にある記録層から、不要な反射光（迷光）が光検出器に入射すると、検出信号が劣化し、フォーカスサーボおよびトラッキングサーボに悪影響を及ぼす惧れがある。したがって、このように記録層が多数配されている場合には、適正に迷光を除去して、光検出器からの信号を安定化させる必要がある。
【０００４】
以下の特許文献１には、記録層が多数配されている場合に、適正に迷光を除去すると共に、トラッキングエラー信号に生じるオフセット（ＤＣ成分）を抑制できる光ピックアップ装置の構成が示されている。この構成によれば、光検出器の受光面上に、信号光のみが存在する領域を作ることができる。この領域に、光検出器のセンサを配置することで、検出信号に対する迷光による影響を抑制することができる。また、この構成によれば、レーザ光軸に対する対物レンズのシフトに応じて生じるトラッキングエラー信号のオフセット（ＤＣ成分）が抑制される。
【先行技術文献】
【特許文献】
【０００５】
【特許文献１】特開２０１０−１０２８１３号公報
【発明の概要】
【発明が解決しようとする課題】
【０００６】
上記光ピックアップ装置では、トラッキングエラー信号のオフセット（ＤＣ成分）を抑制するために、ＤＣ成分を反映する信号成分をｋ倍した信号が、プッシュプル成分を反映する信号成分から減算されて、トラッキングエラー信号が生成される。このため、ＤＣ成分を反映する信号成分にノイズが含まれると、かかるノイズによるトラッキングエラー信号への影響が大きくなる惧れがある。
【０００７】
本発明は、このような点に鑑みてなされたものであり、迷光による影響を円滑に抑制することができ、且つ、トラッキングエラー信号に生じるＤＣ成分を効果的に抑制することができる光ピックアップ装置を提供することを目的とする。
【課題を解決するための手段】
【０００８】
本発明の主たる態様に係る光ピックアップ装置は、レーザ光源と、前記レーザ光源から出射されたレーザ光を記録媒体上に収束させる対物レンズと、前記記録媒体によって反射された前記レーザ光が入射されるとともに、第１の方向に前記レーザ光を収束させて第１の焦線を生成し、且つ、前記第１の方向に垂直な第２の方向に前記レーザ光を収束させて
第２の焦線を生成する非点収差素子と、前記記録媒体によって反射された前記レーザ光が入射されるとともに、第１ないし第４の領域に入射された各光束の進行方向を互いに異ならせ、これら４つの光束を互いに離散させる分光素子と、前記離散された各光束を受光して検出信号を出力する光検出器と、を備える。前記第１の方向と前記第２の方向にそれぞれ平行で且つ互いにクロスする第１および第２の直線の交点を前記分光素子の中心に整合させたとき、前記第１および第２の直線によって作られる一組の対頂角が並ぶ方向に前記第１および第２の領域が配置され、他の一組の対頂角が並ぶ方向に前記第３および第４の領域が配置される。また、前記第１および第２の領域が並ぶ方向が、前記分光素子に投影された前記記録媒体のトラック像の方向と平行となるように前記非点収差素子が配置される。前記第１および第２の領域が前記第３および第４の領域よりも面積が大きく、さらに、前記第１および第２の領域と前記第３および第４の領域との境界が、前記トラック像の方向に垂直な直線部分を有する。
【発明の効果】
【０００９】
本発明によれば、迷光による影響を円滑に抑制することができ、且つ、トラッキングエラー信号に生じるＤＣ成分を効果的に抑制することができる光ピックアップ装置を提供することができる。
【００１０】
本発明の効果ないし意義は、以下に示す実施の形態の説明により更に明らかとなろう。ただし、以下の実施の形態は、あくまでも、本発明を実施する際の一つの例示であって、本発明は、以下の実施の形態によって何ら制限されるものではない。
【図面の簡単な説明】
【００１１】
【図１】実施の形態に係る技術原理（光線の収束状態）を説明する図である。
【図２】実施の形態に係る技術原理（光束の分布状態）を説明する図である。
【図３】実施の形態に係る技術原理（信号光と迷光の分布状態）を説明する図である。
【図４】実施の形態に係る技術原理（光束の分離方法）を説明する図である。
【図５】実施の形態に係るセンサ部の配置方法を示す図である。
【図６】実施の形態に係る技術原理の好ましい適用範囲を示す図である。
【図７】実施の形態に係る技術原理に基づく分光素子の構成およびプッシュプル信号のオフセット（ＤＣ成分）を抑制するための回路構成を示す図である。
【図８】実施の形態に係る技術原理に基づく分光素子の変更例を示す図である。
【図９】実施の形態に係る技術原理に基づくセンサ部上の照射領域を示す図である。
【図１０】実施の形態に係る技術原理に基づくレンズシフトによる信号の変化について説明する図である。
【図１１】実施の形態に係る技術原理に基づくレンズシフトによる信号の変化について説明する図である。
【図１２】実施の形態に係る技術原理に基づく分光素子の変更例を示す図である。
【図１３】実施の形態に係る技術原理に基づく分光素子の変更例を示す図である。
【図１４】実施の形態に係る技術原理に基づくセンサ部上の照射領域を示す図である。
【図１５】実施の形態に係る技術原理に基づく照射領域のシミュレーション結果を示す図である。
【図１６】実施の形態に係る技術原理に基づく照射領域のシミュレーション結果を示す図である。
【図１７】実施の形態に係る技術原理に基づくレンズシフトに応じて生じる信号のオフセット（ＤＣ成分）のシミュレーション結果を示す図である。
【図１８】実施例に係る光ピックアップ装置の光学系を示す図である。
【図１９】実施例に係る光検出器のセンサレイアウトを示す図である。
【図２０】実施例に係る分光素子の変更例を示す図である。
【発明を実施するための形態】
【００１２】
以下、本発明の実施の形態につき図面を参照して説明する。
【００１３】
＜技術的原理＞
まず、図１ないし図６を参照して、本実施の形態に適用される技術的原理について説明する。
【００１４】
図１は、光線の収束状態を示す図である。同図（ａ）は、ターゲット記録層によって反射されたレーザ光（信号光）、ターゲット記録層よりも深い層によって反射されたレーザ光（迷光１）、ターゲット記録層よりも浅い層によって反射されたレーザ光（迷光２）の収束状態を示す図である。同図（ｂ）は、本原理に用いるアナモレンズの構成を示す図である。
【００１５】
同図（ｂ）を参照して、アナモレンズは、レンズ光軸に平行に入射するレーザ光に対し、曲面方向と平面方向に収束作用を付与する。ここで、曲面方向と平面方向は、互いに直交している。また、曲面方向は、平面方向に比べ曲率半径が小さく、アナモレンズに入射するレーザ光を収束させる効果が大きい。
【００１６】
なお、ここでは、アナモレンズにおける非点収差作用を簡単に説明するために、便宜上、“曲面方向”と“平面方向”と表現しているが、実際には、互いに異なる位置に焦線を結ぶ作用がアナモレンズによって生じれば良く、図１（ｂ）中の“平面方向”におけるアナモレンズの形状を平面に限定するものではない。なお、アナモレンズに収束状態でレーザ光が入射する場合は、“平面方向”におけるアナモレンズの形状は直線状（曲率半径＝∞）となり得る。
【００１７】
同図（ａ）を参照して、アナモレンズによって収束させられた信号光は、曲面方向および平面方向の収束により、それぞれ異なる位置で焦線を結ぶ。曲面方向の収束による焦線位置（Ｓ１）は、平面方向の収束による焦線位置（Ｓ２）よりも、アナモレンズに近い位置となり、信号光の収束位置（Ｓ０）は、曲面方向および平面方向による焦線位置（Ｓ１）、（Ｓ２）の中間位置となる。
【００１８】
アナモレンズによって収束させられた迷光１についても同様に、曲面方向の収束による焦線位置（Ｍ１１）は、平面方向の収束による焦線位置（Ｍ１２）よりも、アナモレンズに近い位置となる。アナモレンズは、迷光１の平面方向の収束による焦線位置（Ｍ１２）が、信号光の曲面方向の収束による焦線位置（Ｓ１）よりも、アナモレンズに近い位置となるよう、設計されている。
【００１９】
アナモレンズによって収束させられた迷光２についても同様に、曲面方向の収束による焦線位置（Ｍ２１）は、平面方向の収束による焦線位置（Ｍ２２）よりも、アナモレンズに近い位置となる。アナモレンズは、迷光２の曲面方向の収束による焦線位置（Ｍ２１）は、信号光の平面方向の収束による焦線位置（Ｓ２）よりも、アナモレンズから遠い位置となるよう、設計されている。
【００２０】
また、焦線位置（Ｓ１）と焦線位置（Ｓ２）の間の収束位置（Ｓ０）において、信号光のビームが最小錯乱円となる。
【００２１】
以上を考慮して、面Ｓ０上における信号光および迷光１、２の照射領域の関係について検討する。
【００２２】
ここでは、図２（ａ）に示すように、アナモレンズが、４つの領域Ａ〜Ｄに区分される。この場合、領域Ａ〜Ｄに入射した信号光は、面Ｓ０上において、図２（ｂ）のように分布する。また、領域Ａ〜Ｄに入射した迷光１は、面Ｓ０上において、図２（ｃ）のように分布する。領域Ａ〜Ｄに入射した迷光２は、面Ｓ０上において、図２（ｄ）のように分布する。
【００２３】
ここで、面Ｓ０上における信号光と迷光１、２を光束領域毎に取り出すと、各光の分布は、図３（ａ）ないし（ｄ）のようになる。この場合、各光束領域の信号光には、同じ光束領域の迷光１および迷光２の何れも重ならない。このため、各光束領域内の光束（信号光、迷光１、２）を異なる方向に離散させた後に、信号光のみをセンサ部にて受光するように構成すると、対応するセンサ部には信号光のみが入射し、迷光の入射を抑止することができる。これにより、迷光による検出信号の劣化を回避することができる。
【００２４】
このように、領域Ａ〜Ｄを通る光を分散させて面Ｓ０上において離間させることにより、信号光のみを取り出すことができる。本実施の形態は、この原理を基盤とするものである。
【００２５】
図４は、図２（ａ）に示す４つの領域Ａ〜Ｄを通る光束（信号光、迷光１、２）の進行方向を、それぞれ、異なる方向に、同じ角度だけ変化させたときの、面Ｓ０上における信号光と迷光１、２の分布状態を示す図である。図４（ａ）は、アナモレンズの光軸方向（アナモレンズ入射時のレーザ光の進行方向）からアナモレンズを見た図、同図（ｂ）は、面Ｓ０における信号光、迷光１、２の分布状態を示す図である。
【００２６】
同図（ａ）では、領域Ａ〜Ｄを通った光束（信号光、迷光１、２）の進行方向が、入射前の各光束の進行方向に対して、それぞれ、方向Ｄａ、Ｄｂ、Ｄｃ、Ｄｄに、同じ角度量α（図示せず）だけ変化する。なお、方向Ｄａ、Ｄｂ、Ｄｃ、Ｄｄは、平面方向と曲面方向に対して、それぞれ、４５°の傾きを持っている。
【００２７】
この場合、方向Ｄａ、Ｄｂ、Ｄｃ、Ｄｄにおける角度量αを調節することにより、面Ｓ０上において、同図（ｂ）に示すように各光束領域の信号光と迷光１、２を分布させることができる。その結果、図示の如く、信号光のみが存在する信号光領域を面Ｓ０上に設定することができる。この信号光領域に光検出器の複数のセンサ部を配置することにより、各領域の信号光のみを、対応するセンサ部にて受光することができる。
【００２８】
図５は、センサ部の配置方法を説明する図である。同図（ａ）は、ディスクからの反射光（信号光）の光束領域を示す図であり、同図（ｂ）は、図１（ａ）の構成において、アナモレンズの配置位置と面Ｓ０に、それぞれ、アナモレンズと、従来の非点収差法に基づく光検出器（４分割センサ）を配置したときの、光検出器上における信号光の分布状態を示す図である。図５（ｃ）および（ｄ）は、面Ｓ０上における、上述の原理に基づく信号光の分布状態とセンサレイアウトを示す図である。
【００２９】
トラック溝による信号光の回折の像（トラック像）の方向は、平面方向および曲面方向に対して４５°の傾きを持っている。同図（ａ）において、トラック像の方向が左右方向であるとすると、同図（ｂ）ないし（ｄ）では、信号光におけるトラック像の方向は、上下方向となる。なお、同図（ａ）、（ｂ）および（ｄ）には、説明の便宜上、光束が８つの光束領域ａ〜ｈに区分されている。また、トラック像が実線で示され、オフフォーカス時のビーム形状が点線によって示されている。
【００３０】
なお、トラック溝による信号光の０次回折像と一次回折像の重なり状態は、波長／（ト
ラックピッチ×対物レンズＮＡ）で求められることが知られており、同図（ａ）、（ｂ）、（ｄ）のように、４つの光束領域ａ、ｄ、ｅ、ｈに一次回折像が収まる条件は、波長／（トラックピッチ×対物レンズＮＡ）＞√２となる。
【００３１】
従来の非点収差法では、光検出器のセンサ部Ｐ１〜Ｐ４（４分割センサ）が同図（ｂ）のように設定される。この場合、光束領域ａ〜ｈの光強度に基づく検出信号成分をＡ〜Ｈで表すと、フォーカスエラー信号ＦＥとプッシュプル信号ＰＰは、
ＦＥ＝（Ａ＋Ｂ＋Ｅ＋Ｆ）−（Ｃ＋Ｄ＋Ｇ＋Ｈ）    …（１）
ＰＰ＝（Ａ＋Ｂ＋Ｇ＋Ｈ）−（Ｃ＋Ｄ＋Ｅ＋Ｆ）    …（２）
の演算により求まる。
【００３２】
これに対し、上記図４（ｂ）の分布状態では、上述の如く、信号光領域内に、図５（ｃ）の状態で信号光が分布している。この場合、同図（ａ）に示す光束領域ａ〜ｈを通る信号光は、同図（ｄ）のようになる。すなわち、同図（ａ）の光束領域ａ〜ｈを通る信号光は、光検出器のセンサ部が置かれる面Ｓ０上では、同図（ｄ）に示す光束領域ａ〜ｈへと導かれる。
【００３３】
したがって、同図（ｄ）に示す光束領域ａ〜ｈの位置に、同図（ｄ）に重ねて示す如くセンサ部Ｐ１１〜Ｐ１８を配置すれば、同図（ｂ）の場合と同様の演算処理によって、フォーカスエラー信号とプッシュプル信号を生成することができる。すなわち、この場合も、光束領域ａ〜ｈの光束を受光するセンサ部からの検出信号をＡ〜Ｈで表すと、同図（ｂ）の場合と同様、フォーカスエラー信号ＦＥとプッシュプル信号ＰＰは、上記式（１）、（２）の演算により取得することができる。
【００３４】
以上のように、本原理によれば、従来の非点収差法に基づく場合と同様の演算処理にて、迷光の影響が抑制されたフォーカスエラー信号とプッシュプル信号（トラッキングエラー信号）を生成することができる。
【００３５】
なお、上記原理による効果は、図６に示すように、迷光１の平面方向の焦線位置が面Ｓ０（信号光のスポットが最小錯乱円となる面）よりも非点収差素子に接近した位置にあり、且つ、迷光２の曲面方向の焦線位置が面Ｓ０よりも非点収差素子から離れた位置にあるときに奏され得るものである。すなわち、この関係が満たされていれば、信号光と迷光１、２の分布は上記図４に示す状態となり、面Ｓ０において、信号光と迷光１、２が重なり合わないようすることができる。換言すれば、この関係が満たされる限り、たとえ、信号光の曲面方向の焦線位置よりも迷光１の平面方向の焦線位置が面Ｓ０に接近し、あるいは、信号光の平面方向の焦線位置よりも迷光２の曲面方向の焦線位置が面Ｓ０に接近したとしても、上記原理に基づく効果は奏され得る。
【００３６】
次に、図５（ａ）に示した８つの光束領域ａ〜ｈを通る信号光を、図５（ｄ）に示すセンサレイアウト上に分布させるために、上記原理に基づく分光素子Ｈ０を用いる場合について説明する。
【００３７】
図７（ａ）は、分光素子Ｈ０の構成を示す図である。同図（ａ）は、分光素子Ｈ０を光の入射面側からみたときの平面図である。なお、図７（ａ）には、図１（ｂ）のアナモレンズの平面方向、曲面方向と、分光素子Ｈ０に入射するレーザ光のトラック像の方向が併せて示されている。
【００３８】
分光素子Ｈ０は、正方形形状の透明板にて形成され、光入射面に回折パターン（回折ホログラム）が形成されている。光入射面は、図示の如く、４つの回折領域Ｈ０ａ〜Ｈ０ｄに区分されている。これら回折領域Ｈ０ａ〜Ｈ０ｄに、それぞれ、図４（ａ）の光束領域
Ａ〜Ｄを通るレーザ光が入射するよう、分光素子Ｈ０が配置される。回折領域Ｈ０ａ〜Ｈ０ｄは、入射されたレーザ光を回折作用により、それぞれ図４（ａ）の方向Ｄａ〜Ｄｄに回折させる。
【００３９】
ここで、図５（ａ）に示したセンサ部Ｐ１１〜Ｐ１８の検出信号に基づいてプッシュプル信号ＰＰを生成する場合に、対物レンズがトラック像の方向に垂直な方向に移動すると、プッシュプル信号ＰＰにオフセット（ＤＣ成分）が重畳される。このような対物レンズの移動（以下、「レンズシフト」という）によって生じるプッシュプル信号ＰＰのオフセット（ＤＣ成分）を抑制する手法は、本件出願人が先に出願した特開２０１０−１０２８１３号に記載されている。かかる手法について、図７（ｂ）を参照して説明する。
【００４０】
図７（ｂ）は、プッシュプル信号ＰＰのオフセット（ＤＣ成分）を抑制するための回路構成を示す図である。この場合のプッシュプル信号の生成回路は、加算回路１１、１２、１４、１５と、減算回路１３、１６、１８と、乗算回路１７を備えている。
【００４１】
加算回路１１は、センサ部Ｐ１１、Ｐ１２からの出力信号を加算して、左側の信号光の光量に応じた信号ＰＰ１Ｌを出力する。加算回路１２は、センサ部Ｐ１７、Ｐ１８からの出力信号を加算して、右側の信号光の光量に応じた信号ＰＰ１Ｒを出力する。減算回路１３は、加算回路１１、１２からの出力信号の差分を取り、左右２つの信号光の光量差に基づく信号ＰＰ１を生成する。
【００４２】
加算回路１４は、センサ部Ｐ１３、Ｐ１４からの出力信号を加算して、上下２つの信号光の左側の信号光の光量に応じた信号ＰＰ２Ｌを出力する。加算回路１５は、センサ部Ｐ１５、Ｐ１６からの出力信号を加算して、上下２つの信号光の右側の信号光の光量に応じた信号ＰＰ２Ｒを出力する。減算回路１６は、加算回路１４、１５からの出力信号の差分を取り、上下２つの信号光の左右方向の光量の偏りに基づく信号ＰＰ２を生成する。
【００４３】
乗算回路１７は、減算回路１６から出力される信号ＰＰ２に変数ｋを乗じた信号を減算回路１８に出力する。減算回路１８は、減算回路１３から入力される信号ＰＰ１から、乗算回路１７から入力される信号を減算し、減算後の信号をプッシュプル信号ＰＰとして出力する。変数ｋは、レンズシフトによって生じる信号ＰＰ１のオフセット（ＤＣ成分）が、変数ｋを乗じられた信号ＰＰ２によって打ち消されるように設定されている。これにより、プッシュプル信号ＰＰのオフセット（ＤＣ成分）が抑制される。
【００４４】
ここで、信号ＰＰ１と信号ＰＰ２の値に開きがあると、変数ｋの値が大きく設定されることになる。この場合、たとえば、センサ部に迷光が僅かに掛かることにより信号ＰＰ２にノイズが含まれるようになると、ノイズを含んだ信号ＰＰ２に対して、大きな値に設定された変数ｋが乗じられることになる。これにより、ノイズによるプッシュプル信号ＰＰへの影響がさらに大きくなってしまう。
【００４５】
そこで、本件の発明者は、信号ＰＰ１と信号ＰＰ２の値の開きを抑制して、変数ｋの値を小さくできるように、分光素子Ｈ０の回折領域Ｈ０ａ〜Ｈ０ｄの境界線を変更することを考えた。以下に、分光素子Ｈ０の回折領域を変更した場合の分光素子Ｈ１〜Ｈ５について説明する。
【００４６】
図８（ａ）は、分光素子Ｈ１の構成を示す図である。同図（ａ）は、分光素子Ｈ１を光の入射面側からみたときの平面図である。同図（ｂ）は、分光素子Ｈ１に入射するレーザ光を、分光素子Ｈ１の回折領域の境界線に対応するよう、４つの領域に区分した光束領域ａ１〜ｄ１を示す図である。なお、同図（ａ）、（ｂ）におけるアナモレンズの平面方向、曲面方向と、分光素子Ｈ１に入射するレーザ光のトラック像の方向は、図７（ａ）に示
す方向と同じである。
【００４７】
図８（ａ）を参照して、分光素子Ｈ１の光入射面は、図示の如く、回折領域Ｈ１ａ〜Ｈ１ｄに区分されている。回折領域Ｈ１ａとＨ１ｄは、分光素子Ｈ１の中心を通る横方向および縦方向の直線について対称となっている。また、回折領域Ｈ１ｂとＨ１ｃは、分光素子Ｈ１の中心を通る横方向および縦方向の直線について対称となっている。回折領域Ｈ１ａと回折領域Ｈ１ｂとの境界線は、分光素子Ｈ１の外縁付近において、上下方向に延びた直線部ｐ１を有する。また、同様に、回折領域Ｈ１ａ、Ｈ１ｃとの境界線と、回折領域Ｈ１ｂ、Ｈ１ｄとの境界線と、回折領域Ｈ１ｃ、Ｈ１ｄとの境界線も、分光素子Ｈ１の外縁付近において、上下方向に延びた直線部ｐ１を有するよう設定されている。
【００４８】
また、分光素子Ｈ１の中心をレーザ光の光軸が貫くように分光素子Ｈ１が配置され、同図（ｂ）に示した光束領域ａ１〜ｄ１は、それぞれ、回折領域Ｈ１ａ〜Ｈ１ｄに入射する。このとき、分光素子Ｈ１に入射する光束に含まれるトラック像が、分光素子Ｈ１の直線部ｐ１に十分掛かるよう、分光素子Ｈ１の境界線が設定されている。これにより、回折領域Ｈ１ａ、Ｈ１ｄ上における光束領域ａ１、ｄ１の照射領域は、回折領域Ｈ１ｂ、Ｈ１ｃ上における光束領域ｂ１、ｃ１の照射領域よりも小さくなる。
【００４９】
図９（ａ）は、図８（ｂ）の光束領域ａ１〜ｄ１を通るレーザ光が、図８（ａ）の分光素子Ｈ１により、センサ部Ｐ１１〜Ｐ１８に照射されるときの照射領域を示す模式図である。図９（ａ）は、レーザ光の焦点位置がターゲット記録層に合わせられたときの、センサ部Ｐ１１〜Ｐ１８に照射されるレーザ光の信号光を示している。なお、光束領域ａ１〜ｄ１を通るレーザ光の照射領域は、便宜上、照射領域ａ１〜ｄ１として示されている。
【００５０】
図９（ａ）に示す如く、光束領域ａ１〜ｄ１を通るレーザ光の信号光は、それぞれ、センサ部Ｐ１１、Ｐ１２と、センサ部Ｐ１３、Ｐ１５と、センサ部Ｐ１４、Ｐ１６と、センサ部Ｐ１７、Ｐ１８に照射される。このとき、光束領域ａ１〜ｄ１を通るレーザ光の迷光１、２は、図４（ｂ）と略同様に、信号光領域の外側に照射される。
【００５１】
ここで、上述したように、回折領域Ｈ１ａ、Ｈ１ｄ上における光束領域ａ１、ｄ１の照射領域は、回折領域Ｈ１ｂ、Ｈ１ｃ上における光束領域ｂ１、ｃ１の照射領域よりも小さいため、センサ部Ｐ１１〜Ｐ１８上における照射領域ａ１、ｄ１は、照射領域ｂ１、ｃ１に比べて小さくなる。これにより、図５（ｄ）のようにセンサ部Ｐ１１〜Ｐ１８上に略均等に照射領域が分布する場合に比べて、図７（ｂ）の信号ＰＰ１Ｌ、ＰＰ１Ｒは小さくなり、信号ＰＰ２Ｌ、ＰＰ２Ｒは大きくなる。よって、信号ＰＰ１と信号ＰＰ２の差が小さくなるため、分光素子Ｈ０が用いられる場合に比べて、変数ｋの値を小さく設定することができる。
【００５２】
図８（ｃ）は、分光素子Ｈ１から、さらに中央付近の境界線を変更した分光素子Ｈ２の構成を示す図である。同図（ｄ）は、分光素子Ｈ２に入射するレーザ光を、分光素子Ｈ２の回折領域の境界線に対応するよう、４つの領域に区分した光束領域ａ２〜ｄ２を示す図である。
【００５３】
図８（ｃ）を参照して、分光素子Ｈ２の光入射面は、図示の如く、４つの回折領域Ｈ２ａ〜Ｈ２ｄに区分されている。図８（ａ）の分光素子Ｈ１と比べて、分光素子Ｈ２の回折領域Ｈ２ａと回折領域Ｈ２ｂとの境界線は、中心付近において、上下方向に延びた直線部ｐ２を有する。また、同様に、回折領域Ｈ２ａ、Ｈ２ｃとの境界線と、回折領域Ｈ２ｂ、Ｈ２ｄとの境界線と、回折領域Ｈ２ｃ、Ｈ２ｄとの境界線も、中心付近において、上下方向に延びた直線部ｐ２を有するよう設定されている。回折領域Ｈ２ｂに接する２つの直線部ｐ２と、回折領域Ｈ２ｃに接する２つの直線部ｐ２は、分光素子Ｈ２の中心を挟んで、
この中心に対して対称に位置付けられている。こうして、回折領域Ｈ２ｂに接する直線部ｐ２と、回折領域Ｈ２ｃに接する直線部ｐ２との間には、回折領域Ｈ２ａ、Ｈ２ｄのみからなる領域が設けられる。
【００５４】
分光素子Ｈ２は、分光素子Ｈ２の中心をレーザ光の光軸が貫くように配置され、図８（ｄ）に示した光束領域ａ２〜ｄ２は、それぞれ、回折領域Ｈ２ａ〜Ｈ２ｄに入射する。このとき、分光素子Ｈ２に入射する光束に含まれるトラック像が、分光素子Ｈ１と同様に、分光素子Ｈ２の直線部ｐ１に十分掛かるよう、分光素子Ｈ２の境界線が設定されている。これにより、回折領域Ｈ２ａ、Ｈ２ｄ上における光束領域ａ２、ｄ２の照射領域は、回折領域Ｈ２ｂ、Ｈ２ｃ上における光束領域ｂ２、ｃ２の照射領域よりも小さくなる。
【００５５】
図９（ｂ）は、図８（ｄ）の光束領域ａ２〜ｄ２を通るレーザ光が、図８（ｃ）の分光素子Ｈ２により、センサ部Ｐ１１〜Ｐ１８に照射されるときの照射領域を示す模式図である。
【００５６】
図９（ｂ）に示す如く、光束領域ａ２〜ｄ２を通るレーザ光の信号光は、それぞれ、センサ部Ｐ１１、Ｐ１２と、センサ部Ｐ１３、Ｐ１５と、センサ部Ｐ１４、Ｐ１６と、センサ部Ｐ１７、Ｐ１８に照射される。このとき、光束領域ａ２〜ｄ２を通るレーザ光の迷光１、２は、図４（ｂ）と略同様に、信号光領域の外側に照射される。
【００５７】
この場合も、照射領域ａ２、ｄ２は、照射領域ｂ２、ｃ２に比べて小さくなるため、図７（ｂ）の信号ＰＰ１Ｌ、ＰＰ１Ｒは小さくなり、信号ＰＰ２Ｌ、ＰＰ２Ｒは大きくなる。よって、信号ＰＰ１と信号ＰＰ２の差が小さくなるため、分光素子Ｈ０が用いられる場合に比べて、変数ｋの値を小さく設定することができる。
【００５８】
ここで、レンズシフトが生じた場合の、上記分光素子Ｈ０、Ｈ１上における照射領域の移動に基づく信号ＰＰ１の変化について説明する。
【００５９】
図１０（ａ）、（ｃ）は、それぞれ、レンズシフトがない場合の分光素子Ｈ０、Ｈ１に入射する光束の照射領域を示す図であり、図１０（ｂ）、（ｄ）は、それぞれ、レンズシフトが生じている場合の分光素子Ｈ０、Ｈ１に入射する光束の照射領域を示す図である。図１０（ａ）〜（ｄ）には、各光束に含まれているトラック像が併せて図示されている。
【００６０】
分光素子Ｈ０が用いられる場合、図１０（ａ）に示すように、レンズシフトがない場合の上下のトラック像は、それぞれ、回折領域Ｈ０ａ、Ｈ０ｄに含まれている。これに対し、図１０（ｂ）に示すように、レンズシフトが生じると、下側のトラック像が、回折領域Ｈ０ｄからはみ出すようになる。したがって、レンズシフトが生じると、デトラックに基づく信号ＰＰ１の振幅は、レンズシフトが大きくなるにつれて小さくなる。このため、プッシュプル信号ＰＰの振幅も、レンズシフトが大きくなるにつれて小さくなってしまう。
【００６１】
通常、トラッキングサーボにおいては、フォーカス引き込み後に、プッシュプル信号ＰＰに対するゲインの設定が行われる。プッシュプル信号ＰＰは、設定されたゲインに応じて増幅され、トラッキングサーボに用いられる。ここで、フォーカス引き込み後に設定されたゲインは、シーク動作などに伴ってレンズシフトが生じても変更されない。このため、上記のようにレンズシフトが生じてプッシュプル信号ＰＰの振幅が小さくなると、ゲイン調整後の信号も小さくなり、トラッキングサーボが不安定になる可能性が生じる。
【００６２】
他方、分光素子Ｈ１が用いられる場合、図１０（ｃ）に示すように、レンズシフトがない場合の上下のトラック像は、それぞれ、回折領域Ｈ１ａ、Ｈ１ｄに略均等に掛かっている。また、図１０（ｄ）に示すように、レンズシフトが生じても、上下のトラック像は、
回折領域Ｈ１ａ、Ｈ１ｄに均等に掛かっている。このようにレンズシフトが生じても、回折領域Ｈ１ａ、Ｈ１ｄに対するトラック像の掛かり具合は変わらない。したがって、レンズシフトが生じても、デトラックに基づく信号ＰＰ１の振幅は変わることがない。このため、プッシュプル信号ＰＰの振幅も、レンズシフトに応じて変化が生じることはない。よって、図８（ａ）の構成によれば、上記のようにフォーカス引き込み後にプッシュプル信号ＰＰのゲイン設定が行われ、その後にレンズシフトが生じても、プッシュプル信号ＰＰの振幅が小さくならないため、トラッキングサーボが安定して行われる。
【００６３】
このように、分光素子に入射する光束に含まれるトラック像が、分光素子の回折領域の境界線に設けられた直線部ｐ１に掛かると、レンズシフトが生じてもプッシュプル信号ＰＰの振幅が小さくなり難いため、トラッキングサーボが安定して行われ得る。
【００６４】
次に、レンズシフトが生じた場合の、上記分光素子Ｈ０、Ｈ２上における照射領域の移動に基づく信号ＰＰ２の変化について説明する。
【００６５】
図１１（ａ）、（ｂ）は、それぞれ、分光素子Ｈ０、Ｈ２に入射する光束の照射領域のうち、中央の強度の高い部分を拡大した図である。同図（ａ）、（ｂ）において、点線の円はレンズシフトがない場合の中央の強度の高い部分を示し、破線の円はレンズシフトが生じている場合の中央の強度の高い部分を示している。
【００６６】
同図（ａ）を参照して、分光素子Ｈ０上の照射領域の強度の高い部分は、レンズシフトが生じると、図示の如く、上方向に移動する。このとき、回折領域Ｈ０ｂ、Ｈ０ｃに掛かる領域が減少するため、信号ＰＰ２の値が大きく変化してしまう。
【００６７】
他方、同図（ｂ）を参照して、分光素子Ｈ２上の照射領域の強度の高い部分は、レンズシフトが生じると、図示の如く、上方向に移動する。このとき、回折領域Ｈ２ｂ、Ｈ２ｃには、レンズシフトがない場合とある場合とで、何れも照射領域の強度の高い部分が掛からないため、信号ＰＰ２の値は大きく変化しない。これにより、レンズシフトに基づく信号ＰＰ２の値を、図１１（ａ）の場合に比べ、より線形的に変化させることが可能となる。
【００６８】
ここで、信号ＰＰ１の値はレンズシフトに応じて略線形的に変化する。このため、線形的に変化する信号ＰＰ２の値を用いれば、信号ＰＰ１に含まれるオフセット（ＤＣ成分）を、さらに効果的に抑制することが可能となる。よって、分光素子の回折領域の中央付近に直線部ｐ２挟まれた範囲が設定されれば、プッシュプル信号ＰＰのオフセット（ＤＣ成分）がより効果的に抑制され得る。
【００６９】
次に、分光素子Ｈ２の回折領域の境界線を変更するバリエーションとして、さらに分光素子Ｈ３〜Ｈ５について説明する。
【００７０】
図１２（ａ）は、分光素子Ｈ３の構成を示す図である。同図（ｂ）は、分光素子Ｈ３に入射するレーザ光を、分光素子Ｈ３の回折領域の境界線に対応するよう、４つの領域に区分した光束領域ａ３〜ｄ３を示す図である。
【００７１】
図１２（ａ）を参照して、分光素子Ｈ３の光入射面は、図示の如く、４つの回折領域Ｈ３ａ〜Ｈ３ｄに区分されている。図８（ｃ）の分光素子Ｈ２と比べて、分光素子Ｈ３の回折領域Ｈ３ａと回折領域Ｈ３ｂとの境界線は、中心付近と外縁付近との間において、上下方向に延びた直線部ｐ３をさらに有する。また、同様に、回折領域Ｈ３ａ、Ｈ３ｃとの境界線と、回折領域Ｈ３ｂ、Ｈ３ｄとの境界線と、回折領域Ｈ３ｃ、Ｈ３ｄとの境界線も、中心付近と外縁付近との間において、さらに上下方向に延びた直線部ｐ３を有するよう設
定されている。
【００７２】
また、分光素子Ｈ３の中心をレーザ光の光軸が貫くように分光素子Ｈ３が配置され、図１２（ｂ）に示した光束領域ａ３〜ｄ３は、それぞれ、回折領域Ｈ３ａ〜Ｈ３ｄに入射する。このとき、分光素子Ｈ３に入射する光束に含まれるトラック像が、分光素子Ｈ２と同様に、分光素子Ｈ３の直線部ｐ１に十分掛かるよう、分光素子Ｈ３の境界線が設定されている。
【００７３】
図１４（ａ）は、図１２（ｂ）の光束領域ａ３〜ｄ３を通るレーザ光が、図１２（ａ）の分光素子Ｈ３により、センサ部Ｐ１１〜Ｐ１８に照射されるときの照射領域を示す模式図である。
【００７４】
図１４（ａ）に示す如く、光束領域ａ３〜ｄ３を通るレーザ光の信号光は、それぞれ、センサ部Ｐ１１、Ｐ１２と、センサ部Ｐ１３、Ｐ１５と、センサ部Ｐ１４、Ｐ１６と、センサ部Ｐ１７、Ｐ１８に照射される。このとき、光束領域ａ３〜ｄ３を通るレーザ光の迷光１、２は、図４（ｂ）と略同様に、信号光領域の外側に照射される。
【００７５】
このように境界線が設定された分光素子Ｈ３が用いられると、分光素子Ｈ２が用いられる場合に比べて、境界線には上下方向に延びた複数の直線部が設定されているため、レンズシフトに応じた信号ＰＰ２の値をより線形的に変化させることが可能となる。すなわち、レンズシフトによる回折領域Ｈ３ｂ、Ｈ３ｃ上の照射領域の変化が、上記分光素子Ｈ２に比べてさらに小さくなるため、レンズシフトに応じた信号ＰＰ２の値をより線形的に変化させることができ、レンズシフトによるプッシュプル信号ＰＰのオフセット（ＤＣ成分）が、さらに効果的に抑制され得る。
【００７６】
図１２（ｃ）は、分光素子Ｈ３の回折領域を、さらに中心を通る上下方向の直線と左右方向の直線により区分した分光素子Ｈ４を示す図である。同図（ｄ）は、分光素子Ｈ４に入射するレーザ光を、分光素子Ｈ４の回折領域の境界線に対応するよう、８つの領域に区分した光束領域ａ４〜ｈ４を示す図である。
【００７７】
図１２（ｃ）を参照して、分光素子Ｈ４の光入射面は、図示の如く、８つの回折領域Ｈ４ａ〜Ｈ４ｈに区分されている。回折領域Ｈ４ａ〜Ｈ４ｈは、入射されたレーザ光を回折作用により、それぞれ方向Ｖａ〜Ｖｈに回折させる。方向Ｖａ、Ｖｈは、図４（ａ）の方向Ｄａから、それぞれ、図示の如く、下方向と上方向の成分が僅かに加えられている。方向Ｖｆ、Ｖｇは、図４（ａ）の方向Ｄｂから、それぞれ、図示の如く、左方向と右方向の成分が僅かに加えられている。方向Ｖｂ、Ｖｃは、図４（ａ）の方向Ｄｃから、それぞれ、図示の如く、右方向と左方向の成分が僅かに加えられている。方向Ｖｄ、Ｖｅは、図４（ａ）の方向Ｄｄから、それぞれ、図示の如く、下方向と上方向の成分が僅かに加えられている。
【００７８】
図１４（ｂ）は、図１２（ｄ）の光束領域ａ４〜ｈ４を通るレーザ光が、図１２（ｃ）の分光素子Ｈ４により、センサ部Ｐ１１〜Ｐ１８に照射されるときの照射領域を示す模式図である。
【００７９】
図１４（ｂ）に示す如く、光束領域ａ４〜ｈ４を通るレーザ光の信号光は、それぞれ、センサ部Ｐ１１、Ｐ１２と、センサ部Ｐ１３、Ｐ１５と、センサ部Ｐ１４、Ｐ１６と、センサ部Ｐ１７、Ｐ１８に照射される。このとき、光束領域ａ４〜ｈ４を通るレーザ光の迷光１、２は、図４（ｂ）と略同様に、信号光領域の外側に照射される。
【００８０】
また、図１４（ｂ）に示す如く、照射領域ａ４、ｈ４は、センサ部Ｐ１１、Ｐ１２の境
界に設けられる隙間から互いに離れることになる。すなわち、照射領域ａ４、ｈ４の間の隙間は、センサ部Ｐ１１、Ｐ１２の境界に設けられる隙間よりも大きい。また、照射領域ｂ４、ｃ４も、センサ部Ｐ１４、Ｐ１６の境界に設けられる隙間から互いに離れることになり、照射領域ｆ４、ｇ４も、センサ部Ｐ１３、Ｐ１５の境界に設けられる隙間から互いに離れることになり、照射領域ｄ４、ｅ４も、センサ部Ｐ１７、Ｐ１８の境界に設けられる隙間から互いに離れることになる。すなわち、照射領域ｂ４、ｃ４の間の隙間は、センサ部Ｐ１４、Ｐ１６の境界に設けられる隙間よりも大きく、照射領域ｆ４、ｇ４は、センサ部Ｐ１３、Ｐ１５の境界に設けられる隙間よりも大きく、照射領域ｄ４、ｅ４の間の隙間は、センサ部Ｐ１７、Ｐ１８の境界に設けられる隙間よりも大きい。これにより、センサ部Ｐ１１〜Ｐ１８が、面Ｓ０（図１（ａ）参照）内で上下左右に位置ずれを生じた場合でも、かかる位置ずれによるセンサ部Ｐ１１〜Ｐ１８の出力信号の精度の低下が、抑制され得る。
【００８１】
図１３（ａ）は、分光素子Ｈ４にレンズ効果を持たせた分光素子Ｈ５を示す図である。同図（ｂ）は、分光素子Ｈ５に入射するレーザ光を、分光素子Ｈ５の回折領域の境界線に対応するよう、８つの領域に区分した光束領域ａ５〜ｈ５を示す図である。
【００８２】
図１３（ａ）を参照して、分光素子Ｈ５の光入射面は、図示の如く、分光素子Ｈ４と同様、８つの回折領域Ｈ５ａ〜Ｈ５ｈに区分されている。回折領域Ｈ５ａ〜Ｈ５ｈは、分光素子Ｈ４とは異なり、レンズ効果を持っている。すなわち、分光素子Ｈ５の回折領域Ｈ５ａ〜Ｈ５ｈにおける回折作用を表す位相関数は、２乗の項を持っている。
【００８３】
図１４（ｃ）は、図１３（ｂ）の光束領域ａ５〜ｈ５を通るレーザ光が、図１３（ａ）の分光素子Ｈ５により、センサ部Ｐ１１〜Ｐ１８に照射されるときの照射領域を示す模式図である。
【００８４】
図１４（ｃ）に示す如く、光束領域ａ５〜ｈ５を通るレーザ光の信号光は、それぞれ、センサ部Ｐ１１、Ｐ１２と、センサ部Ｐ１３、Ｐ１５と、センサ部Ｐ１４、Ｐ１６と、センサ部Ｐ１７、Ｐ１８に照射される。このとき、光束領域ａ５〜ｈ５を通るレーザ光の迷光１、２は、図４（ｂ）と略同様に、信号光領域の外側に照射される。
【００８５】
また、図１４（ｃ）に示す如く、信号光領域の４つの頂角にそれぞれ位置付けられる２つの照射領域は、信号光領域の頂角に近い側の端部が互いに近づけられる。すなわち、図１４（ｃ）では、図１４（ｂ）の状態から、信号光領域の４つの頂角にそれぞれ位置付けられる２つの照射領域の、信号光領域の頂角に近い側の端部が、互いに近づけられる。これにより、センサ部Ｐ１１〜Ｐ１８が、面Ｓ０（図１（ａ）参照）内で位置ずれを生じた場合に、分光素子Ｈ４の場合に比べて、かかる位置ずれによるセンサ部Ｐ１１〜Ｐ１８の出力信号の精度の低下が、抑制され難くなる。しかしながら、センサ部Ｐ１１〜Ｐ１８の面Ｓ０内におけるずれに応じて、各センサ部の出力信号が変化する。よって、光ピックアップ装置の組み立て時等に、センサ部Ｐ１１〜Ｐ１８の出力信号を参照することにより、面Ｓ０内でのセンサ部Ｐ１１〜Ｐ１８の位置調整を行うことができ、センサ部Ｐ１１〜Ｐ１８を適正に設置することが可能となる。
【００８６】
次に、図１５および図１６に、それぞれ、分光素子Ｈ０、Ｈ５を用いた場合について、センサレイアウト上における照射領域のシミュレーション結果を示す。
【００８７】
図１５（ａ）〜（ｄ）は、分光素子Ｈ０を用いた場合の受光面上における信号光の照射領域について、それぞれ、センサレイアウトの左側部分と、上側部分と、右側部分と、下側部分を拡大した図である。分光素子Ｈ０を用いた場合の信号光の照射領域ａ〜ｈは、図５（ｄ）と同様に、各センサ部上に位置付けられている。
【００８８】
図１６（ａ）〜（ｄ）は、分光素子Ｈ５を用いた場合の受光面上における信号光の照射領域について、それぞれ、センサレイアウトの左側部分と、上側部分と、右側部分と、下側部分を拡大した図である。分光素子Ｈ５を用いた場合の信号光の照射領域ａ５〜ｈ５は、図１４（ｃ）と同様に、各センサ部上に位置付けられている。
【００８９】
このように、分光素子Ｈ５が用いられると、信号ＰＰ１Ｌ、ＰＰ１Ｒに対応するセンサ部（図１６（ａ）、（ｃ）のセンサ部）上の照射領域が、信号ＰＰ２Ｌ、ＰＰ２Ｒに対応するセンサ部（図１６（ｂ）、（ｄ）のセンサ部）上の照射領域に比べて小さくなることが分かる。
【００９０】
また、図１６（ａ）において、照射領域ａ５、ｈ５の左端部分は、センサ部の隙間に掛かるように互いに近づけられており、照射領域ａ５、ｈ５の右端部分は、センサ部の隙間に掛からないように互いに遠ざけられている。また、図１６（ｂ）〜（ｄ）においても、対になる照射領域は、センサ部の隙間に掛かる部分と掛からない部分が設定されている。これにより、センサ部の位置ずれが生じた場合でも、分光素子Ｈ０が用いられる場合に比べて、センサ部の出力信号の精度の低下が抑制される。また、センサ部の出力信号を参照することにより、センサ部の位置調整を行うことができる。
【００９１】
図１７は、分光素子Ｈ０、Ｈ５を用いた場合について、レンズシフトに応じて生じる信号ＰＰ１、ＰＰ２に生じるオフセット（ＤＣ成分）のシミュレーション結果を示す図である。同図（ａ）、（ｂ）は、それぞれ、分光素子Ｈ０、Ｈ５が用いられた場合を示す図である。
【００９２】
分光素子Ｈ５が用いられる場合、分光素子Ｈ０が用いられる場合に比べて、上述したように、信号ＰＰ１Ｌ、ＰＰ１Ｒに対応するセンサ部上の照射領域が小さくなり、信号ＰＰ２Ｌ、ＰＰ２Ｒに対応するセンサ部上の照射領域が、大きくなる。このため、同図（ｂ）の信号ＰＰ１は、同図（ａ）の信号ＰＰ１よりも傾きが小さくなり、同図（ｂ）の信号ＰＰ２は、同図（ａ）の信号ＰＰ２よりも傾きが大きくなる。これにより、同図（ｂ）の信号ＰＰ１、ＰＰ２の傾きが近づけられるため、信号ＰＰ１のオフセット（ＤＣ成分）を抑制するために信号ＰＰ２に乗じる変数ｋの値を、同図（ａ）よりも同図（ｂ）において小さくすることができる。
【００９３】
図１７（ｂ）のシミュレーション結果では、信号ＰＰ１、ＰＰ２の傾きは略一致する。このため、変数ｋは、ｋ≒１に設定される。この場合、たとえば、センサ部に迷光が僅かに掛かることにより信号ＰＰ２にノイズが含まれるようになっても、このノイズは変数ｋの乗算により増幅されない。よって、ノイズによるプッシュプル信号ＰＰへの影響を抑制することができる。
【００９４】
以下の実施例には、上記分光素子Ｈ５を用いた光ピックアップ装置の具体的構成例が示されている。
【００９５】
＜実施例＞
本実施例は、ＢＤ、ＤＶＤおよびＣＤに対応可能な互換型の光ピックアップ装置に本発明を適用したものである。上記原理は、ＢＤ用の光学系にのみ適用され、ＣＤ用の光学系とＤＶＤ用の光学系には従来の非点収差法によるフォーカス調整技術と３ビーム方式（インライン方式）によるトラッキング調整技術が適用されている。
【００９６】
図１８（ａ）および（ｂ）は、本実施例に係る光ピックアップ装置の光学系を示す図である。図１８（ａ）は、立ち上げミラー１１４、１１５よりもディスク側の構成を省略し
た光学系の平面図、図１８（ｂ）は、立ち上げミラー１１４、１１５以降の光学系を側面から透視した図である。
【００９７】
図示の如く、光ピックアップ装置は、半導体レーザ１０１と、１／２波長板１０２と、ダイバージングレンズ１０３と、２波長レーザ１０４と、回折格子１０５と、ダイバージングレンズ１０６と、複合プリズム１０７と、フロントモニタ１０８と、コリメートレンズ１０９と、駆動機構１１０と、反射ミラー１１１、１１２と、１／４波長板１１３と、立ち上げミラー１１４、１１５と、２波長対物レンズ１１６と、ＢＤ対物レンズ１１７と、分光素子Ｈ５と、アナモレンズ１１８と、光検出器１１９を備えている。
【００９８】
半導体レーザ１０１は、波長４０５ｎｍ程度のＢＤ用レーザ光（以下、「ＢＤ光」という）を出射する。１／２波長板１０２は、ＢＤ光の偏光方向を調整する。ダイバージングレンズ１０３は、半導体レーザ１０１と複合プリズム１０７との距離を短縮するようＢＤ光の焦点距離を調整する。
【００９９】
２波長レーザ１０４は、波長７８５ｎｍ程度のＣＤ用レーザ光（以下、「ＣＤ光」という）と、波長６６０ｎｍ程度のＤＶＤ用レーザ光（以下、「ＤＶＤ光」という）をそれぞれ出射する２つのレーザ素子を同一ＣＡＮ内に収容している。
【０１００】
図１８（ｃ）は、２波長レーザ１０４内におけるレーザ素子（レーザ光源）の配置パターンを示す図である。同図は、２波長レーザ１０４をビーム出射側から見たときのものである。同図において、ＣＥおよびＤＥは、それぞれ、ＣＤ光およびＤＶＤ光の発光点を示している。ＣＤ光およびＤＶＤ光の発光点間のギャップはＧである。
【０１０１】
なお、ＣＤ光の発光点ＣＥとＤＶＤ光の発光点ＤＥとの間のギャップＧは、後述の如く、ＤＶＤ光が、ＤＶＤ光用の４分割センサに適正に照射されるように設定される。このように、２つの光源を同一ＣＡＮ内に収容することで、複数ＣＡＮの構成に比べて光学系を簡素化することができる。
【０１０２】
図１８（ａ）に戻り、回折格子１０５は、ＣＤ光およびＤＶＤ光を、それぞれ、メインビームと２つのサブビームに分割する。回折格子１０５は、２段ステップ型の回折格子である。また、回折格子１０５には、１／２波長板が一体化されている。一体化された１／２波長板によって、ＣＤ光とＤＶＤ光の偏光方向が調整される。ダイバージングレンズ１０６は、２波長レーザ１０４と複合プリズム１０７との距離を短くするようＣＤ光およびＤＶＤ光の焦点距離を調整する。
【０１０３】
複合プリズム１０７は、内部に、ダイクロイック面１０７ａと、ＰＢＳ（PolarizingBeam Splitter）面１０７ｂを有している。ダイクロイック面１０７ａは、ＢＤ光を反射し
、ＣＤ光とＤＶＤ光を透過する。半導体レーザ１０１、２波長レーザ１０４および複合プリズム１０７は、ダイクロイック面１０７ａにより反射されたＢＤ光の光軸とダイクロイック面１０７ａを透過したＣＤ光の光軸が互いに整合するように、配置される。ダイクロイック面１０７ａを透過したＤＶＤ光の光軸は、ＢＤ光とＣＤ光の光軸から、図１８（ｃ）に示すギャップＧだけずれる。
【０１０４】
ＢＤ光、ＣＤ光およびＤＶＤ光は、それぞれ、一部がＰＢＳ面１０７ｂによって反射され、大部分がＰＢＳ面１０７ｂを透過する。このようにＢＤ光、ＣＤ光およびＤＶＤ光の一部がＰＢＳ面１０７ｂによって反射されるよう、１／２波長板１０２と、回折格子１０５（一体化された１／２波長板）が配置される。
【０１０５】
なお、このように回折格子１０５が配置されると、ＣＤ光のメインビームおよび２つの
サブビームと、ＤＶＤ光のメインビームおよび２つのサブビームは、それぞれ、ＣＤおよびＤＶＤのトラックに沿うようなる。ＣＤによって反射されたＣＤ光のメインビームと２つのサブビームは、後述する光検出器１２０上のＣＤ用の４分割センサに照射される。ＤＶＤによって反射されたＤＶＤ光のメインビームと２つのサブビームは、後述する光検出器１２０上のＤＶＤ用の４分割センサに照射される。
【０１０６】
ＰＢＳ面１０７ｂにより反射されたＢＤ光、ＣＤ光、ＤＶＤ光は、フロントモニタ１０８に照射される。フロントモニタ１０８は、受光光量に応じた信号を出力する。フロントモニタ１０８からの信号は、半導体レーザ１０１と２波長レーザ１０４の出射パワー制御に用いられる。
【０１０７】
コリメートレンズ１０９は、複合プリズム１０７側から入射するＢＤ光、ＣＤ光およびＤＶＤ光を平行光に変換する。駆動機構１１０は、収差補正の際に、制御信号に応じてコリメートレンズ１０９を光軸方向に移動させる。駆動機構１１０は、コリメートレンズ１０９を保持するホルダ１１０ａと、ホルダ１１０ａをコリメートレンズ１０９の光軸方向に送るためのギア１１０ｂとを備え、ギア１１０ｂは、モータ１１０ｃの駆動軸に連結されている。
【０１０８】
コリメートレンズ１０９により平行光とされたＢＤ光、ＣＤ光およびＤＶＤ光は、２つの反射ミラー１１１、１１２により反射され、１／４波長板１１３に入射する。１／４波長板１１３は、反射ミラー１１２側から入射するＢＤ光、ＣＤ光およびＤＶＤ光を円偏光に変換するとともに、立ち上げミラー１１４側から入射するＢＤ光、ＣＤ光およびＤＶＤ光を、反射ミラー１１２側から入射する際の偏光方向に直交する直線偏光に変換する。これにより、ディスクからの反射光は、ＰＢＳ面１０７ｂにより反射される。
【０１０９】
立ち上げミラー１１４は、ダイクロイックミラーであり、ＢＤ光を透過するとともに、ＣＤ光およびＤＶＤ光を２波長対物レンズ１１６に向かう方向に反射する。立ち上げミラー１１５は、ＢＤ光をＢＤ対物レンズ１１７に向かう方向に反射する。
【０１１０】
２波長対物レンズ１１６は、ＣＤ光およびＤＶＤ光を、それぞれ、ＣＤおよびＤＶＤに対して適正に収束させるよう構成されている。また、ＢＤ対物レンズ１１７は、ＢＤ光をＢＤに適正に収束させるよう構成されている。２波長対物レンズ１１６とＢＤ対物レンズ１１７は、ホルダ１３１に保持された状態で、対物レンズアクチュエータ１３２により、フォーカス方向およびトラッキング方向に駆動される。
【０１１１】
分光素子Ｈ５は、図１３（ａ）に示した分光素子である。分光素子Ｈ５に入射したＢＤ光、ＣＤ光およびＤＶＤ光のうち、ＢＤ光は、８つの光束に区分され、分光素子Ｈ５による回折作用によって、各光束の進行方向が変えられる。ＣＤ光とＤＶＤ光は、大半が分光素子Ｈ５による回折作用を受けずに、分光素子Ｈ５を透過する。
【０１１２】
分光素子Ｈ５は、正方形形状の透明板にて形成され、光入射面にステップ型の回折パターン（回折ホログラム）が形成されている。回折パターンのステップ数およびステップ高さは、ＢＤ光の波長に対する＋１次の回折効率が高くなり、ＣＤ光とＤＶＤ光の波長に対する０次の回折効率が高くなるよう設定される。回折角は、回折パターンのピッチによって調整される。
【０１１３】
分光素子Ｈ５の回折領域Ｈ５ａ〜Ｈ５ｈは、たとえば、８段ステップ型の回折パターンとされる。この場合、１ステップあたりの段差が７．３５μｍに設定される。これにより、ＢＤ光の＋１次回折光の回折効率を８１％としながら、ＣＤ光とＤＶＤ光の０次回折光の回折効率を、それぞれ、９９％および９２％とすることができる。この場合、ＢＤ光の
０次回折効率は、７％となる。ＣＤ光とＤＶＤ光は、回折領域Ｈ５ａ〜Ｈ５ｈにより略回折を受けずに、光検出器１１９上の、後述する４分割センサに照射される。
【０１１４】
なお、回折領域Ｈ５ａ〜Ｈ５ｈに配される回折パターンのステップ数を他のステップ数にすることもできる。また、回折領域Ｈ５ａ〜Ｈ５ｈを、たとえば、特開２００６−７３０４２号公報に記載の技術を用いて構成することもできる。この技術を用いると、ＢＤ光、ＣＤ光およびＤＶＤ光に対する回折効率を、さらに細かく調整することができる。
【０１１５】
アナモレンズ１１８は、分光素子Ｈ５側から入射したＢＤ光、ＣＤ光およびＤＶＤ光に非点収差を導入する。アナモレンズ１１８は、図１（ａ）、（ｂ）のアナモレンズに相当する。アナモレンズ１１８を透過したＢＤ光、ＣＤ光およびＤＶＤ光は、光検出器１１９に入射する。光検出器１１９は、各光を受光するためのセンサレイアウトを有している。
【０１１６】
図１９は、光検出器１１９のセンサレイアウトを示す図である。
【０１１７】
光検出器１１９は、分光素子Ｈ５によって分離されたＢＤ光を受光するＢＤ用のセンサ部Ｂ１〜Ｂ８と、分光素子Ｈ５によって分離されずに分光素子Ｈ５を透過したＣＤ光を受光するＣＤ用の４分割センサＣ０１〜Ｃ０３と、分光素子Ｈ５によって分離されずに分光素子Ｈ５を透過したＤＶＤ光を受光するＤＶＤ用の４分センサＤ０１〜Ｄ０３とを有する。分光素子Ｈ５によって分離されたＢＤ光の信号光は、信号光領域の頂角部分に照射される。
【０１１８】
光束領域ａ〜ｈを通るＢＤ光の信号光をそれぞれ受光可能なように、信号光領域の４つの頂角付近に、図示の如く、それぞれ、センサ部Ｂ１、Ｂ２、センサ部Ｂ３、Ｂ５、センサ部Ｂ４、Ｂ６、センサ部Ｂ７、Ｂ８が配置される。なお、センサ部Ｂ１〜Ｂ８は、信号光領域の４つの頂角部分の内側に照射されるＢＤ光の照射領域を十分含み得るように配置されている。これにより、経年劣化等によりセンサ部Ｂ１〜Ｂ８の位置ずれが生じた場合にも、センサ部Ｂ１〜Ｂ８は、分光素子Ｈ５によって分離された信号光を十分に受光することが可能となる。センサ部Ｂ１〜Ｂ８上におけるＢＤ光の信号光の照射領域は、図１４（ｃ）に示すセンサ部Ｐ１１〜Ｐ１８上における照射領域と略同じである。
【０１１９】
ＢＤ光とＣＤ光の光軸は、上記のようにダイクロイック面１０７ａによって整合しているため、ＣＤ光のメインビーム（０次回折光）は、光検出器１１９の受光面上において、ＢＤ光の信号光領域の中心に照射される。４分割センサＣ０１は、ＣＤ光のメインビームの中心位置に配置される。４分割センサＣ０２、Ｃ０３は、ＣＤ光のサブビームを受光するよう、光検出器１１９の受光面上において、メインビームに対しトラック像の方向に配置される。
【０１２０】
ＤＶＤ光の光軸は、上記のようにＣＤ光の光軸からずれているため、ＤＶＤ光のメインビームと２つのサブビームは、光検出器１１９の受光面上において、ＣＤ光のメインビームと２つのサブビームからずれた位置に照射される。４分割センサＤ０１〜Ｄ０３は、それぞれ、ＤＶＤ光のメインビームと２つのサブビームの照射位置に配置される。なお、ＣＤ光のメインビームとＤＶＤ光のメインビームとの距離は、図１８（ｃ）に示すＣＤ光とＤＶＤ光の発光点間のギャップＧによって決まる。
【０１２１】
以上、本発明の実施例によれば、ＢＤ光の信号光の照射領域は、図１４（ｃ）に示すように、信号光領域の４つの頂角部分の内側に分布し、ＢＤ光の迷光１、２の照射領域は、図４（ｂ）に示す状態と略同様に、信号光領域の外側に分布する。したがって、図１９に示したセンサ部Ｂ１〜Ｂ８によって、ＢＤ光の信号光のみを受光することができる。これにより、迷光による検出信号の劣化が抑制され得る。
【０１２２】
また、本発明の実施例によれば、図７（ｂ）に示すように、レンズシフトによるプッシュプル信号ＰＰのオフセット（ＤＣ成分）を抑制する場合に、変数ｋの値を小さく設定することができる。これにより、迷光などのノイズが信号ＰＰ２に含まれる場合でも、大きな値の変数ｋが信号ＰＰ２に乗じられることがないため、ノイズによるプッシュプル信号ＰＰへの影響を抑制することができる。よって、プッシュプル信号ＰＰの精度を高く維持することができる。
【０１２３】
また、本発明の実施例によれば、分光素子Ｈ５の回折領域Ｈ５ａ、Ｈ５ｂの境界線と、回折領域Ｈ５ｃ、Ｈ５ｄの境界線と、回折領域Ｈ５ｅ、Ｈ５ｆの境界線と、回折領域Ｈ５ｇ、Ｈ５ｈの境界線は、外縁付近において上下方向に延びた直線部ｐ１を有している。直線部ｐ１に、分光素子Ｈ５に入射する光束に含まれるトラック像が掛かると、レンズシフトが生じてもプッシュプル信号ＰＰの振幅が小さくなり難いため、トラッキングサーボが安定して行われ得る。
【０１２４】
また、本発明の実施例によれば、分光素子Ｈ５の回折領域Ｈ５ａ、Ｈ５ｂの境界線と、回折領域Ｈ５ｃ、Ｈ５ｄの境界線と、回折領域Ｈ５ｅ、Ｈ５ｆの境界線と、回折領域Ｈ５ｇ、Ｈ５ｈの境界線は、中央付近において上下方向に延びた直線部ｐ２を有している。これにより、回折領域Ｈ５ｂ、Ｈ５ｃ、Ｈ５ｆ、Ｈ５ｇには、レンズシフトの有無に拘わらず、照射領域の強度の高い部分が掛からないため、信号ＰＰ２の値の変化が抑制される。よって、レンズシフトに基づく信号ＰＰ２の値が、より線形的に変化するようになるため、プッシュプル信号ＰＰのオフセット（ＤＣ成分）がより効果的に抑制され得る。
【０１２５】
また、本発明の実施例によれば、分光素子Ｈ５の回折領域Ｈ５ａ、Ｈ５ｂの境界線と、回折領域Ｈ５ｃ、Ｈ５ｄの境界線と、回折領域Ｈ５ｅ、Ｈ５ｆの境界線と、回折領域Ｈ５ｇ、Ｈ５ｈの境界線は、中央付近と外縁付近との間にも上下方向に延びた直線部ｐ３を有している。これにより、さらに信号ＰＰ２の値を線形的に変化するようになるため、プッシュプル信号ＰＰのオフセット（ＤＣ成分）が、さらに効果的に抑制され得る。
【０１２６】
また、本発明の実施例によれば、図１４（ｃ）または図１６（ａ）〜（ｄ）に示すように、信号光領域の４つの頂角部分にそれぞれ分布する２つの照射領域の内側部分が、対応する２つのセンサ部の隙間を挟んで互いに離れている。これにより、センサ部Ｂ１〜Ｂ８に位置ずれが生じても、センサ部Ｂ１〜Ｂ８の出力信号が劣化し難くなる。また、信号光領域の４つの頂角部分にそれぞれ分布する２つの照射領域の外側部分が、対応する２つのセンサ部の隙間を挟んで互いに近づいている。これにより、センサ部Ｂ１〜Ｂ８の出力信号を参照することにより、面Ｓ０内でのセンサ部Ｂ１〜Ｂ８の位置調整を行うことができ、センサ部Ｂ１〜Ｂ８を適正に設置することが可能となる。
【０１２７】
以上、本発明の実施例について説明したが、本発明は、上記実施例に何ら制限されるものではなく、また、本発明の実施例も上記以外に種々の変更が可能である。
【０１２８】
たとえば、上記実施例では、光入射面に回折パターンが形成された分光素子Ｈ５を用いてＢＤ光を分光させたが、これに替えて、多面プリズムからなる分光素子を用いてＢＤ光を分光させても良い。このような多面プリズムの入射面には、分光素子Ｈ５の回折領域Ｈ５ａ〜Ｈ５ｈに対応する８つの面が形成される。かかる８つの面に入射する光は、図１３（ａ）のＶａ〜Ｖｈの方向に屈折される。これにより、上記分光素子Ｈ５を用いた場合と同様、ＢＤ光の信号光は、受光面上において図１４（ｃ）に示す如く照射される。
【０１２９】
なお、多面プリズムからなる分光素子を用いる場合、ＢＤ光を受光するための光学系と、ＣＤ光とＤＶＤ光を受光するための光学系は、別々に構成することが可能である。すな
わち、図１８（ｂ）に示すＢＤ対物レンズ１１７には、ＢＤ用の光学系にてＢＤ光が導かれ、２波長対物レンズ１１６には、ＢＤ用の光学系とは別のＣＤ／ＤＶＤ用の光学系にてＣＤ光とＤＶＤ光が導かれる。ＢＤ用光学系は、ＢＤ光を発するレーザ光源と、ＢＤにて反射されたＢＤ光を受光する一つの光検出器を有し、ＣＤ／ＤＶＤ用の光学系は、ＣＤ光とＤＶＤ光を発するレーザ光源と、ＣＤ、ＤＶＤにて反射されたＣＤ光、ＤＶＤ光を受光する、ＢＤ光用の光検出器とは別の光検出器を有する。ＣＤ／ＤＶＤ用の光検出器は、ＣＤ光とＤＶＤ光をそれぞれ個別に受光する２つのセンサ群を有する。ＢＤ用光学系は、上記実施例と同様、ＢＤによって反射されたＢＤ光に非点収差を導入するアナモレンズを備える。多面プリズムからなる分光素子は、たとえば、このアナモレンズの前段に配置される。
【０１３０】
また、上記実施例では、分光素子Ｈ５がアナモレンズ１１８の前段に配置されたが、分光素子Ｈ５をアナモレンズ１１８の後段に配置しても良く、あるいは、アナモレンズ１１８の入射面または出射面に、分光素子Ｈ５と同様の回折作用をレーザ光に付与する回折パターンを一体的に配しても良い。
【０１３１】
また、上記実施例では、図１４（ｃ）に示すように、信号光領域の４つの頂角部分にそれぞれ分布する２つの照射領域の内側部分が互いに離れるよう、分光素子Ｈ５にレンズ効果が設定された。しかしながら、これに替えて、信号光領域の４つの頂角部分にそれぞれ分布する２つの照射領域の外側部分が互いに離れるよう、分光素子Ｈ５にレンズ効果が設定されても良い。
【０１３２】
また、上記実施例では、分光素子Ｈ５が用いられたが、これに限らず、分光素子Ｈ５の替わりに分光素子Ｈ１〜Ｈ４が用いられても良い。
【０１３３】
また、上記実施例の分光素子Ｈ５の替わりに、図２０（ａ）〜（ｃ）に示す分光素子Ｈ６、Ｈ７が用いられても良い。
【０１３４】
図２０（ａ）、（ｂ）は、それぞれ、分光素子Ｈ６、Ｈ７の構成を示す図である。なお、同図（ａ）、（ｂ）におけるアナモレンズの平面方向、曲面方向と、各分光素子に入射するＢＤ光のトラック像の方向は、図７（ａ）に示す方向と同じである。
【０１３５】
図２０（ａ）を参照して、分光素子Ｈ６の回折領域の境界線は、中央付近において上下方向に延びた直線部ｐ２を有し、中央付近以外において左右方向の直線に対して４５度よりも大きい角度をなす直線部ｐ４を含んでいる。この場合も、回折領域Ｈ６ａ、Ｈ６ｄの面積が、回折領域Ｈ６ｂ、Ｈ６ｃよりも小さくなる。
【０１３６】
図２０（ｂ）を参照して、分光素子Ｈ７の回折領域の境界線は、中央付近において上下方向に延びた直線部ｐ２を有し、中央付近以外において曲線を含んでいる。この場合も、回折領域Ｈ７ａ、Ｈ７ｄの面積が、回折領域Ｈ７ｂ、Ｈ７ｃよりも小さくなる。
【０１３７】
この他、本発明の実施の形態は、特許請求の範囲に示された技術的思想の範囲内において、適宜、種々の変更が可能である。
【符号の説明】
【０１３８】
１０１  …  半導体レーザ（光源）
１１７  …  ＢＤ対物レンズ（対物レンズ）
１１８  …  アナモレンズ（非点収差素子）
１１９  …  光検出器
Ｂ１〜Ｂ８  …  センサ部
Ｈ１〜Ｈ７  …  分光素子
Ｈ１ｂ、Ｈ１ｃ  …  回折領域（第１および第２の領域）
Ｈ１ａ、Ｈ１ｄ  …  回折領域（第３および第４の領域）
Ｈ２ｂ、Ｈ２ｃ  …  回折領域（第１および第２の領域）
Ｈ２ａ、Ｈ２ｄ  …  回折領域（第３および第４の領域）
Ｈ３ｂ、Ｈ３ｃ  …  回折領域（第１および第２の領域）
Ｈ３ａ、Ｈ３ｄ  …  回折領域（第３および第４の領域）
Ｈ４ｂ、Ｈ４ｃ、Ｈ４ｆ、Ｈ４ｇ  …  回折領域（第１および第２の領域、分割領域）
Ｈ４ａ、Ｈ４ｄ、Ｈ４ｅ、Ｈ４ｈ  …  回折領域（第３および第４の領域、分割領域）
Ｈ５ｂ、Ｈ５ｃ、Ｈ５ｆ、Ｈ５ｇ  …  回折領域（第１および第２の領域、分割領域）
Ｈ５ａ、Ｈ５ｄ、Ｈ５ｅ、Ｈ５ｈ  …  回折領域（第３および第４の領域、分割領域）
Ｈ６ｂ、Ｈ６ｃ  …  回折領域（第１および第２の領域）
Ｈ６ａ、Ｈ６ｄ  …  回折領域（第３および第４の領域）
Ｈ７ｂ、Ｈ７ｃ  …  回折領域（第１および第２の領域）
Ｈ７ａ、Ｈ７ｄ  …  回折領域（第３および第４の領域）
ｐ１〜ｐ３  …  直線部（直線部分）
【図１】
2012079374.tif 000003
【図２】
2012079374.tif 000004
【図３】
2012079374.tif 000005
【図４】
2012079374.tif 000006
【図５】
2012079374.tif 000007
【図６】
2012079374.tif 000008
【図７】
2012079374.tif 000009
【図８】
2012079374.tif 000010
【図９】
2012079374.tif 000011
【図１０】
2012079374.tif 000012
【図１１】
2012079374.tif 000013
【図１２】
2012079374.tif 000014
【図１３】
2012079374.tif 000015
【図１４】
2012079374.tif 000016
【図１５】
2012079374.tif 000017
【図１６】
2012079374.tif 000018
【図１７】
2012079374.tif 000019
【図１８】
2012079374.tif 000020
【図１９】
2012079374.tif 000021
【図２０】
2012079374.tif 000022